(57)【特許請求の範囲】
【請求項１】
ＣＤＭＡ方式移動通信システムにおけるフレーム構成方法であって、
制御ビット部分に割り当てる最適電力量を設定するステップと、
前記制御ビット部分に含まれる制御ビットの送信電力をデータビット部分に含まれるデータビットの送信電力と等しくするステップと、
前記制御ビット部分のビット数を調整することにより、前記制御ビット部分に割り当てる送信電力量を、前記最適電力量とするステップと
を備えることを特徴とするフレーム構成方法。
【請求項２】
ＣＤＭＡ方式移動通信システムにおけるフレーム構成方法であって、
制御ビット部分に割り当てる最適電力量を設定するステップと、
データビット部分に含まれるデータビットの送信電力とは独立に前記制御ビット部分に含まれる制御ビットの送信電力を調整することにより、前記制御ビット部分に割り当てる送信電力量を前記最適電力量とするステップと
を備えることを特徴とするフレーム構成方法。
【請求項３】
請求項１または請求項２に記載のフレーム構成方法において、前記制御ビット部分の前記最適電力量は、個別チャネル全体の所要送信電力を最低とする電力量であることを特徴とするフレーム構成方法。
【請求項４】
ＣＤＭＡ方式移動通信システムにおけるフレーム構成装置であって、
制御ビット部分に割り当てる最適電力量を設定する手段と、
前記制御ビット部分に含まれる制御ビットの送信電力をデータビット部分に含まれるデータビットの送信電力と等しくする手段と、
前記制御ビット部分のビット数を調整することにより、前記制御ビット部分に割り当てる送信電力量を、前記最適電力量とする手段と
を備えたことを特徴とするフレーム構成装置。
【請求項５】
ＣＤＭＡ方式移動通信システムにおけるフレーム構成装置であって、
制御ビット部分に割り当てる最適電力量を設定する手段と、
データビット部分に含まれるデータビットの送信電力とは独立に前記制御ビット部分に含まれる制御ビットの送信電力を調整することにより、前記制御ビット部分に割り当てる送信電力量を前記最適電力量とする手段と
を備えたことを特徴とするフレーム構成装置。
【請求項６】
請求項４または請求項５に記載のフレーム構成装置において、前記制御ビット部分の前記最適電力量は、個別チャネル全体の所要送信電力を最低とする電力量であることを特徴とするフレーム構成装置。
【請求項７】
ＣＤＭＡ方式移動通信システムにおけるフレーム構成であって、制御ビット部分に含まれる制御ビットの送信電力と等しい送信電力を有するデータビットを含むデータビット部分と、最適電力量となるようにビット数を調整された前記制御ビット部分とを備えたことを特徴とするフレーム構成。
【請求項８】
ＣＤＭＡ方式移動通信システムにおけるフレーム構成であって、データビット部分に含まれるデータビットの送信電力とは独立に制御ビット部分に含まれる制御ビットの送信電力を調整することにより、送信電力量を最適電力量にした制御ビット部分を備えたことを特徴とするフレーム構成。
【請求項９】
請求項７または請求項８に記載のフレーム構成において、前記制御ビット部分の前記最適電力量は、個別チャネル全体の所要送信電力を最低とする電力量であることを特徴とするフレーム構成。
【請求項１０】
請求項７乃至請求項９のいずれかに記載のフレーム構成において、前記制御ビット部分は受信品質と所要品質との比較結果に対応するビット系列を含むことを特徴とするフレーム構成。
【請求項１１】
請求項７乃至請求項１０のいずれかに記載のフレーム構成であって、前記フレーム構成は伝送信号として伝送されることを特徴とするフレーム構成。
【請求項１２】
送信電力制御方法であって、
第１の無線局において、
第２の無線局が送信した信号の受信品質を測定するステップと、
前記測定するステップにより測定した受信品質を所要品質と比較するステップと、
前記比較するステップの比較結果に対応するビット系列を生成するステップと、
前記ビット系列を生成するステップにより生成した前記ビット系列を含む制御ビット部分を生成するステップと、
前記制御ビット部分に割り当てる最適電力量を設定するステップと、
前記制御ビット部分に含まれる制御ビットの送信電力をデータビット部分に含まれるデータビットの送信電力と等しくするステップと、
前記制御ビット部分のビット数を調整することにより、前記制御ビット部分に割り当てる前記送信電力量を、前記最適電力量とするステップと、
前記最適電力量とするステップにより前記最適電力量とされた前記制御ビット部分を含むフレームを構成するステップと、
前記フレームを前記第２の無線局へ送信するステップとを備え、および
第２の無線局において、
前記送信するステップにより送信された前記フレームを受信するステップと、
前記受信するステップにより受信した前記フレームに含まれる前記ビット系列に基づいて送信電力を調整するステップと
を備えることを特徴とする送信電力制御方法。
【請求項１３】
送信電力制御方法であって、
第１の無線局において、
第２の無線局が送信した信号の受信品質を測定するステップと、
前記測定するステップにより測定した受信品質を所要品質と比較するステップと、
前記比較するステップの比較結果に対応するビット系列を生成するステップと、
前記ビット系列を生成するステップにより生成した前記ビット系列を含む制御ビット部分を生成するステップと、
前記制御ビット部分に割り当てる最適電力量を設定するステップと、
データビット部分に含まれるデータビットの送信電力とは独立に前記制御ビット部分に含まれる制御ビットの送信電力を調整することにより、前記制御ビット部分に割り当てる送信電力量を前記最適電力量とするステップと
前記最適電力量とするステップにより前記最適電力量とされた前記制御ビット部分を含むフレームを構成するステップと、
前記フレームを前記第２の無線局へ送信するステップとを備え、および
第２の無線局において、
前記送信するステップにより送信された前記フレームを受信するステップと、
前記受信するステップにより受信した前記フレームに含まれる前記ビット系列に基づいて送信電力を調整するステップと
を備えることを特徴とする送信電力制御方法。
【請求項１４】
請求項１２または請求項１３に記載の送信電力制御方法において、前記制御ビット部分の前記最適電力量は、個別チャネル全体の所要送信電力を最低とする電力量であることを特徴とする送信電力制御方法。
【請求項１５】
無線局であって、
受信した信号の受信品質を測定する手段と、
前記測定する手段により測定した受信品質を所要品質と比較する手段と、
前記比較する手段の比較結果に対応するビット系列を生成する手段と、
前記ビット系列を生成する手段により生成した前記ビット系列を含む制御ビット部分を生成する手段と、
前記制御ビット部分に割り当てる最適電力量を設定する手段と、
前記制御ビット部分に含まれる制御ビットの送信電力をデータビット部分に含まれるデータビットの送信電力と等しくする手段と、
前記制御ビット部分のビット数を調整することにより、前記制御ビット部分に割り当てる送信電力量を、前記最適電力量とする手段と、
前記最適電力量とする手段により前記最適電力量とされた前記制御ビット部分を含むフレームを構成する手段と、
前記フレームを送信する手段と
を備えたことを特徴とする無線局。
【請求項１６】
無線局であって、
受信した信号の受信品質を測定する手段と、
前記測定する手段により測定した受信品質を所要品質と比較する手段と、
前記比較する手段の比較結果に対応するビット系列を生成する手段と、
前記ビット系列を生成する手段により生成した前記ビット系列を含む制御ビット部分を生成する手段と、
前記制御ビット部分に割り当てる最適電力量を設定する手段と、
データビット部分に含まれるデータビットの送信電力とは独立に前記制御ビット部分に含まれる制御ビットの送信電力を調整することにより、前記制御ビット部分に割り当てる送信電力量を前記最適電力量とする手段と
前記最適電力量とする手段により前記最適電力量とされた前記制御ビット部分を含むフレームを構成する手段と、
前記フレームを送信する手段と
を備えたことを特徴とする無線局。
【請求項１７】
請求項１５または請求項１６に記載の無線局において、前記制御ビット部分の前記最適電力量は、個別チャネル全体の所要送信電力を最低とする電力量であることを特徴とする無線局。
【請求項１８】
無線局であって、
請求項１５乃至請求項１７のいずれかに記載の無線局が、前記フレームを送信する手段により送信した前記フレームを受信する手段と、
前記フレームを受信する手段により受信した前記フレームに含まれる前記ビット系列に基づいて送信電力を調整する手段と
を備えたことを特徴とする無線局。
【請求項１９】
送信電力制御方法であって、
第１の無線局において、制御ビット部分に割り当てる最適電力量を設定するステップと、
前記制御ビット部分に含まれる制御ビットの送信電力をデータビット部分に含まれるデータビットの送信電力と等しくするステップと、
前記制御ビット部分のビット数を調整することにより、前記制御ビット部分に割り当てる送信電力量を、前記最適電力量とするステップと、
前記最適電力量とするステップにより前記最適電力量とされた前記制御ビット部分を含むフレームを構成するステップと、
前記フレームを第２の無線局へ送信するステップと、
前記第２の無線局において、前記第１の無線局が送信した信号の受信品質を測定するステップと、
前記測定するステップにより測定した受信品質を所要品質と比較するステップと、
前記比較するステップの比較結果に対応するビット系列を生成するステップと、
前記ビット系列を生成するステップにより生成した前記ビット系列を、前記第１の無線局に送信するステップと、
前記第１の無線局において、前記第２の無線局が送信した前記ビット系列を受信するステップと、
前記受信するステップにより受信した前記ビット系列に基づいて送信電力を調整するステップと
を備えることを特徴とする送信電力制御方法。
【請求項２０】
送信電力制御方法であって、
第１の無線局において、制御ビット部分に割り当てる最適電力量を設定するステップと、
データビット部分に含まれるデータビットの送信電力とは独立に前記制御ビット部分に含まれる制御ビットの送信電力を調整することにより、前記制御ビット部分に割り当てる送信電力量を前記最適電力量とするステップと
前記最適電力量とするステップにより前記最適電力量とされた前記制御ビット部分を含むフレームを構成するステップと、
前記フレームを第２の無線局へ送信するステップと、
前記第２の無線局において、前記第１の無線局が送信した信号の受信品質を測定するステップと、
前記測定するステップにより測定した受信品質を所要品質と比較するステップと、
前記比較するステップの比較結果に対応するビット系列を生成するステップと、
前記ビット系列を生成するステップにより生成した前記ビット系列を前記第１の無線局に送信するステップと、
前記第１の無線局において、前記第２の無線局が送信した前記ビット系列を受信するステップと、
前記受信するステップにより受信した前記ビット系列に基づいて送信電力を調整するステップと
を備えることを特徴とする送信電力制御方法。
【請求項２１】
請求項１９または請求項２０に記載の送信電力制御方法において、
前記受信品質を測定するステップは、
前記第１の無線局が送信した前記制御ビット部分の少なくとも一部を用いて測定することを特徴とする送信電力制御方法。
【請求項２２】
請求項１９または請求項２０に記載の送信電力制御方法において、
前記受信品質を測定するステップは、
前記第１の無線局が送信した前記制御ビット部分の少なくとも一部および前記第１の無線局が送信したデータビット部分の少なくとも一部を用いて測定することを特徴とする送信電力制御方法。
【請求項２３】
請求項１９乃至請求項２２のいずれかに記載の送信電力制御方法において、前記制御ビット部分の前記最適電力量は、個別チャネル全体の所要送信電力を最低とする電力量であることを特徴とする送信電力制御方法。
【請求項２４】
無線局において、
請求項４乃至請求項６のいずれかに記載のフレーム構成装置と、
前記フレーム構成装置により構成されたフレームを送信する手段と
を備えたことを特徴とする無線局。
【請求項２５】
無線局において、
請求項２４に記載の無線局が前記フレームを送信する手段により送信した前記フレームを受信する手段と、
前記フレームを受信する手段により受信した前記フレームの受信品質を測定する手段と、
前記測定する手段により測定した受信品質を所要品質と比較する手段と、
前記比較する手段の比較結果に対応するビット系列を生成する手段と、
前記ビット系列を生成する手段により生成した前記ビット系列を送信する手段と
を備えたことを特徴とする無線局。
【請求項２６】
請求項２５に記載の無線局において、
前記受信品質を測定する手段は、
前記第１の無線局が送信した前記制御ビット部分の少なくとも一部を用いて測定することを特徴とする無線局。
【請求項２７】
請求項２５に記載の無線局において、
前記受信品質を測定する手段は、
前記第１の無線局が送信した前記制御ビット部分の少なくとも一部および前記第１の無線局が送信したデータビット部分の少なくとも一部を用いて測定することを特徴とする無線局。
【発明の詳細な説明】
【０００１】
【発明の属する技術分野】
本発明は、フレーム構成方法およびその方法を使用したフレーム構成装置およびフレーム構成に関し、特に、送信電力制御方法およびその方法を使用した送信電力制御装置および無線局に関する。
【０００２】
更に詳しくは、本発明は、スペクトル拡散を用いてマルチプルアクセスを行なうＣＤＭＡ（Ｃｏｄｅ  Ｄｉｖｉｓｉｏｎ  Ｍｕｌｔｉｐｌｅ  Ａｃｃｅｓｓ：符号分割多元接続）方式の移動通信において、送信電力制御を行う個別チャネル中に、制御ビットがデータビットと共に配置され、送信電力制御のための希望波受信信号電力対干渉電力比（ＳＩＲ）等の測定が該制御ビットを用いて行われる場合の、制御ビットとデータビットを最適な電力量配分にすることができるフレーム構成技術に関する。
【０００３】
【従来の技術】
図１は、上り（移動局から基地局）回線における、他の移動局からの干渉の状態を示す。基地局ＢＳ１の近くの移動局ＭＳ１と、遠くの移動局ＭＳ２、ＭＳ３が同時に通信を行なう場合、基地局ＢＳ１では、近くの移動局ＭＳ１からの信号電力は大きく受信されるのに対して、遠くの移動局ＭＳ２、ＭＳ３からの受信電力は小さく受信される。従って、遠くの移動局ＭＳ２、ＭＳ３と、基地局ＢＳ１との通信が、近くの移動局ＭＳ１からの干渉を受けて、大きく特性が劣化することになる。
【０００４】
また、下り（基地局から移動局）回線においても、遠くの移動局は、雑音の影響をより多く受け、特にセルラー方式では他セルの基地局からの干渉もより多く受けるため、特性が大きく劣化することになる。
【０００５】
これらの問題を解決する技術として、従来から送信電力制御が検討されてきた。送信電力制御では、受信局が受信する受信電力、または、その受信電力から決まる希望波受信信号電力対干渉電力比（ＳＩＲ）が、移動局の所在位置によらず、一定になるように制御するもので、これによって、サービスエリア内で均一の通信品質が得られることになる。他の通信者の信号電力は干渉信号となるため、これが自チャネルの信号電力より大幅に大きくならない様に、送信電力制御を行なう必要がある。上りチャネルに対しては、基地局の受信入力において、各移動局からの受信ＳＩＲが一定になるように、各移動局は送信電力制御を行なう必要がある。
【０００６】
基地局における移動局の送信電力制御は、従来、例えば、次のように行われる。
【０００７】
（１）基地局は、ある移動局からの信号の、満足できるような受信品質に対応する、所要ＳＩＲを設定する。
【０００８】
（２）基地局は、移動局から送られた信号の受信ＳＩＲを測定する。
【０００９】
（３）基地局は、上記所要ＳＩＲに対して、対応する移動局からの信号の受信ＳＩＲが大きいか小さいかを判定する。
【００１０】
（４）基地局は、その判定結果に対応する送信電力の制御ビットを、下り信号のフレーム内に周期的に挿入し、この送信電力の制御ビットにより、移動局に対してその送信電力の上げ、下げを指定する。
【００１１】
また、下りチャネルに対しても、上りチャネルの場合と同様に行われる。具体的には、
（１）移動局は、基地局からの信号の、満足できるような受信品質に対応する、所要ＳＩＲを設定する。
【００１２】
（２）移動局は、基地局から送られた信号の受信ＳＩＲを測定する。
【００１３】
（３）移動局は、上記所要ＳＩＲに対して、対応する基地局からの信号の受信ＳＩＲが大きいか小さいかを判定する。
【００１４】
（４）移動局は、その判定結果に対応する送信電力の制御ビットを、上り信号のフレーム内に周期的に挿入し、この送信電力の制御ビットにより、基地局に対してその送信電力の上げ、下げを指定する。
【００１５】
図２に、従来技術によるＣＤＭＡ方式移動通信システムの個別チャネルのフレーム構成の一例を示す。
【００１６】
図２に示すように、個別チャネル２０には、通常、ユーザ情報を示すデータビット部分２４と共に、送信電力制御ビット、レート識別ビットなど、制御情報を示す制御ビット部分２２が配置されている。制御ビット部分２２とデータビット部分２４とを併せてフレームと称する。
【００１７】
図３に制御ビットの電力量と制御ビットのビット誤り率の関係を示す。
【００１８】
図３では、制御ビットの所要品質を満たす１フレーム中の電力量がＥ１であることを示している。従来技術においては、フレーム中に制御ビットが割り当てられる場合、制御ビット自身の所要品質を満たすような電力量で、個別チャネル中に配置されていた（例えば図３中のＥ１）。
【００１９】
【発明が解決しようとする課題】
制御ビットは、ユーザーデータの速度変更に伴い送信ビット数や送信電力が逐次変化しうるデータビット部分と異なり、常時送信が行われるため、送信電力制御のためのＳＩＲ測定に用いられる場合がある。
【００２０】
図４にＳＩＲ測定を制御ビットを用いて行う場合の、１フレームあたりの制御ビットの電力量と、個別チャネルの所要送信電力の関係を示す。ここで、個別チャネルの所要送信電力とは、データビット部分の所要品質を満たすような、制御ビットとデータビットとを合わせた送信電力をいう。
【００２１】
図４に示すように、制御ビットをＳＩＲ測定に用いる場合、制御ビットの電力量を大きくして行くと、ＳＩＲ測定精度は向上し、送信電力制御を高精度に行うことができるため、個別チャネルの所要送信電力を低減しうるが、必要以上に制御ビットの電力量を大きくしてしまうと、個別チャネル全体の送信電力の増大となる。
【００２２】
従って、個別チャネルの所要送信電力を最低にするような制御ビットの電力量の最適点が存在する。例えば、図４中ではＥ０が最適な電力量となる。
【００２３】
しかし従来は、前述したように、制御ビットは、制御ビット自身の所要品質を満たすような電力量（例えば図３中のＥ１）で配置、送信されていたため、その電力量が、図４のＥ０よりも小さい場合には、ＳＩＲ測定の精度が悪くなり、送信電力の増大、容量の劣化を招くという問題があった。
【００２４】
そこで本発明は、制御ビットの電力量を、個別チャネルの所要送信電力を最低とする点に一致させることで、制御ビットとデータビットを最適な電力量配分にするフレーム構成とし、それにより、送信電力の低減および容量の増大を実現すると共に、制御ビット自身の品質を所要品質以上とすることを目的とする。
【００２５】
【課題を解決するための手段】
上記目的を達成するために、請求項１に記載の発明は、ＣＤＭＡ方式移動通信システムにおけるフレーム構成方法であって、制御ビット部分に割り当てる最適電力量を設定するステップと、前記制御ビット部分に含まれる制御ビットの送信電力をデータビット部分に含まれるデータビットの送信電力と等しくするステップと、前記制御ビット部分のビット数を調整することにより、前記制御ビット部分に割り当てる送信電力量を、前記最適電力量とするステップとを備えることを特徴とする。
【００２６】
請求項２に記載の発明は、ＣＤＭＡ方式移動通信システムにおけるフレーム構成方法であって、制御ビット部分に割り当てる最適電力量を設定するステップと、データビット部分に含まれるデータビットの送信電力とは独立に前記制御ビット部分に含まれる制御ビットの送信電力を調整することにより、前記制御ビット部分に割り当てる送信電力量を前記最適電力量とするステップとを備えることを特徴とする。
【００２７】
請求項３に記載の発明は、請求項１または請求項２に記載のフレーム構成方法において、前記制御ビット部分の前記最適電力量は、個別チャネル全体の所要送信電力を最低とする電力量であることを特徴とする。
【００２８】
請求項４に記載の発明は、ＣＤＭＡ方式移動通信システムにおけるフレーム構成装置であって、制御ビット部分に割り当てる最適電力量を設定する手段と、前記制御ビット部分に含まれる制御ビットの送信電力をデータビット部分に含まれるデータビットの送信電力と等しくする手段と、前記制御ビット部分のビット数を調整することにより、前記制御ビット部分に割り当てる送信電力量を、前記最適電力量とする手段とを備えたことを特徴とする。
【００２９】
請求項５に記載の発明は、ＣＤＭＡ方式移動通信システムにおけるフレーム構成装置であって、制御ビット部分に割り当てる最適電力量を設定する手段と、データビット部分に含まれるデータビットの送信電力とは独立に前記制御ビット部分に含まれる制御ビットの送信電力を調整することにより、前記制御ビット部分に割り当てる送信電力量を前記最適電力量とする手段とを備えたことを特徴とする。
【００３０】
請求項６に記載の発明は、請求項４または請求項５に記載のフレーム構成装置において、前記制御ビット部分の前記最適電力量は、個別チャネル全体の所要送信電力を最低とする電力量であることを特徴とする。
【００３１】
請求項７に記載の発明は、ＣＤＭＡ方式移動通信システムにおけるフレーム構成であって、制御ビット部分に含まれる制御ビットの送信電力と等しい送信電力を有するデータビットを含むデータビット部分と、最適電力量となるようにビット数を調整された前記制御
ビット部分とを備えたことを特徴とする。
【００３２】
請求項８に記載の発明は、ＣＤＭＡ方式移動通信システムにおけるフレーム構成であって、データビット部分に含まれるデータビットの送信電力とは独立に制御ビット部分に含まれる制御ビットの送信電力を調整することにより、送信電力量を最適電力量にした制御ビット部分を備えたことを特徴とする。
【００３３】
請求項９に記載の発明は、請求項７または請求項８に記載のフレーム構成において、前記制御ビット部分の前記最適電力量は、個別チャネル全体の所要送信電力を最低とする電力量であることを特徴とする。
【００３４】
請求項１０に記載の発明は、請求項７乃至請求項９のいずれかに記載のフレーム構成において、前記制御ビット部分は受信品質と所要品質との比較結果に対応するビット系列を含むことを特徴とする。
【００３５】
請求項１１に記載の発明は、請求項７乃至請求項１０のいずれかに記載のフレーム構成であって、前記フレーム構成は伝送信号として伝送されることを特徴とする。
【００３６】
請求項１２に記載の発明は、送信電力制御方法であって、第１の無線局において、第２の無線局が送信した信号の受信品質を測定するステップと、前記測定するステップにより測定した受信品質を所要品質と比較するステップと、前記比較するステップの比較結果に
対応するビット系列を生成するステップと、前記ビット系列を生成するステップにより生成した前記ビット系列を含む制御ビット部分を生成するステップと、前記制御ビッ
ト部分に割り当てる最適電力量を設定するステップと、前記制御ビット部分に含まれる制御ビットの送信電力をデータビット部分に含まれるデータビットの送信電力と等しくするステップと、前記制御ビット部分のビット数を調整することにより、前記制御ビット部分に割り当てる前記送信電力量を、前記最適電力量とするステップと、前記最適電力量とするステップにより前記最適電力量とされた前記制御ビット部分を含むフレームを構成するステップと、前記フレームを前記第２の無線局へ送信するステップとを備え、および
第２の無線局において、前記送信するステップにより送信された前記フレームを受信するステップと、前記受信するステップにより受信した前記フレームに含まれる前記ビット系列に基づいて送信電力を調整するステップとを備えることを特徴とする。
【００３７】
請求項１３に記載の発明は、送信電力制御方法であって、第１の無線局において、第２の無線局が送信した信号の受信品質を測定するステップと、前記測定するステップにより測定した受信品質を所要品質と比較するステップと、前記比較するステップの比較結果に
対応するビット系列を生成するステップと、前記ビット系列を生成するステップにより生成した前記ビット系列を含む制御ビット部分を生成するステップと、前記制御ビット部分に割り当てる最適電力量を設定するステップと、データビット部分に含まれるデータビットの送信電力とは独立に前記制御ビット部分に含まれる制御ビットの送信電力を調整することにより、前記制御ビット部分に割り当てる送信電力量を前記最適電力量とするステップと、前記最適電力量とするステップにより前記最適電力量とされた前記制御ビット部分を含むフレームを構成するステップと、前記フレームを前記第２の無線局へ送信するステップとを備え、および第２の無線局において、前記送信するステップにより送信された前記フレームを受信するステップと、前記受信するステップにより受信した前記フレームに含まれる前記ビット系列に基づいて送信電力を調整するステップとを備えることを特徴とする。
【００３８】
請求項１４に記載の発明は、請求項１２または請求項１３に記載の送信電力制御方法において、前記制御ビット部分の前記最適電力量は、個別チャネル全体の所要送信電力を最低とする電力量であることを特徴とする。
【００３９】
請求項１５に記載の発明は、無線局であって、受信した信号の受信品質を測定する手段と、前記測定する手段により測定した受信品質を所要品質と比較する手段と、前記比較する手段の比較結果に対応するビット系列を生成する手段と、前記ビット系列を生成する手
段により生成した前記ビット系列を含む制御ビット部分を生成する手段と、前記制御ビット部分に割り当てる最適電力量を設定する手段と、前記制御ビット部分に含まれる制御ビットの送信電力をデータビット部分に含まれるデータビットの送信電力と等しくする手段と、前記制御ビット部分のビット数を調整することにより、前記制御ビット部分に割り当てる送信電力量を、前記最適電力量とする手段と、前記最適電力量とする手段により前記最適電力量とされた前記制御ビット部分を含むフレームを構成する手段と、前記フレームを送信する手段とを備えたことを特徴とする。
【００４０】
請求項１６に記載の発明は、無線局であって、受信した信号の受信品質を測定する手段と、前記測定する手段により測定した受信品質を所要品質と比較する手段と、前記比較する手段の比較結果に対応するビット系列を生成する手段と、前記ビット系列を生成する手
段により生成した前記ビット系列を含む制御ビット部分を生成する手段と、前記制御ビット部分に割り当てる最適電力量を設定する手段と、データビット部分に含まれるデータビットの送信電力とは独立に前記制御ビット部分に含まれる制御ビットの送信電力を調整することにより、前記制御ビット部分に割り当てる送信電力量を前記最適電力量とする手段と、前記最適電力量とする手段により前記最適電力量とされた前記制御ビット部分を含むフレームを構成する手段と、前記フレームを送信する手段とを備えたことを特徴とする。
【００４１】
請求項１７に記載の発明は、請求項１５または請求項１６に記載の無線局において、前記制御ビット部分の前記最適電力量は、個別チャネル全体の所要送信電力を最低とする電力量であることを特徴とする。
【００４２】
請求項１８に記載の発明は、無線局であって、請求項１５乃至請求項１７のいずれかに記載の無線局が、前記フレームを送信する手段により送信した前記フレームを受信する手段と、前記フレームを受信する手段により受信した前記フレームに含まれる前記ビット系列に基づいて送信電力を調整する手段とを備えたことを特徴とする。
【００４３】
請求項１９に記載の発明は、送信電力制御方法であって、第１の無線局において、制御ビット部分に割り当てる最適電力量を設定するステップと、前記制御ビット部分に含まれる制御ビットの送信電力をデータビット部分に含まれるデータビットの送信電力と等しくするステップと、前記制御ビット部分のビット数を調整することにより、前記制御ビット部分に割り当てる送信電力量を、前記最適電力量とするステップと、前記最適電力量とするステップにより前記最適電力量とされた前記制御ビット部分を含むフレームを構成するステップと、前記フレームを第２の無線局へ送信するステップと、前記第２の無線局において、前記第１の無線局が送信した信号の受信品質を測定するステップと、前記測定するステップにより測定した受信品質を所要品質と比較するステップと、前記比較するステップの比較結果に対応するビット系列を生成するステップと、前記ビット系列を生成するステップにより生成した前記ビット系列を、前記第１の無線局に送信す
るステップと、前記第１の無線局において、前記第２の無線局が送信した前記ビット系列を受信するステップと、前記受信するステップにより受信した前記ビット系列に基づいて送信電力を調整するステップとを備えることを特徴とする。
【００４４】
請求項２０に記載の発明は、送信電力制御方法であって、第１の無線局において、制御ビット部分に割り当てる最適電力量を設定するステップと、データビット部分に含まれるデータビットの送信電力とは独立に前記制御ビット部分に含まれる制御ビットの送信電力を調整することにより、前記制御ビット部分に割り当てる送信電力量を前記最適電力量とするステップと、前記最適電力量とするステップにより前記最適電力量とされた前記制御ビット部分を含むフレームを構成するステップと、前記フレームを第２の無線局へ送信するステップと、前記第２の無線局において、前記第１の無線局が送信した信号の受信品質を測定するステップと、前記測定するステップにより測定した受信品質を所要品質と比較するステップと、前記比較するステップの比較結果に対応するビット系列を生成するステップと、前記ビット系列を生成するステップにより生成した前記ビット系列を前記第１の無線局に送信するステップと、前記第１の無線局において、前記第２の無線局が送信し
た前記ビット系列を受信するステップと、前記受信するステップにより受信した前記ビット系列に基づいて送信電力を調整するステップとを備えることを特徴とする。
【００４５】
請求項２１に記載の発明は、請求項１９または請求項２０に記載の送信電力制御方法において、前記受信品質を測定するステップは、前記第１の無線局が送信した前記制御ビット部分の少なくとも一部を用いて測定することを特徴とする。
【００４６】
請求項２２に記載の発明は、請求項１９または請求項２０に記載の送信電力制御方法において、前記受信品質を測定するステップは、前記第１の無線局が送信した前記制御ビット部分の少なくとも一部および前記第１の無線局が送信したデータビット部分の少なくとも一部を用いて測定することを特徴とする。
【００４７】
請求項２３に記載の発明は、請求項１９乃至請求項２２のいずれかに記載の送信電力制御方法において、前記制御ビット部分の前記最適電力量は、個別チャネル全体の所要送信電力を最低とする電力量であることを特徴とする。
【００４８】
請求項２４に記載の発明は、無線局において、請求項４乃至請求項６のいずれかに記載のフレーム構成装置と、前記フレーム構成装置により構成されたフレームを送信する手段とを備えたことを特徴とする。
【００４９】
請求項２５に記載の発明は、無線局において、請求項２４に記載の無線局が前記フレームを送信する手段により送信した前記フレームを受信する手段と、前記フレームを受信する手段により受信した前記フレームの受信品質を測定する手段と、前記測定する手段により測定した受信品質を所要品質と比較する手段と、前記比較する手段の比較結果に対応するビット系列を生成する手段と、前記ビット系列を生成する手段により生成した前記ビット系列を送信する手段とを備えたことを特徴とする。
【００５０】
請求項２６に記載の発明は、請求項２５に記載の無線局において、前記受信品質を測定する手段は、前記第１の無線局が送信した前記制御ビット部分の少なくとも一部を用いて測定することを特徴とする。
【００５１】
請求項２７に記載の発明は、請求項２５に記載の無線局において、前記受信品質を測定する手段は、前記第１の無線局が送信した前記制御ビット部分の少なくとも一部および前記第１の無線局が送信したデータビット部分の少なくとも一部を用いて測定することを特徴とする。
【００５２】
本発明によれば、制御ビットの電力量を、個別チャネルの所要送信電力を最低とする点に一致させることにより、制御ビットとデータビットを最適な電力量配分にするフレーム構成とし、それにより、送信電力の低減および容量の増大を実現すると共に、制御ビット自身の品質を所要品質以上とすることができる。
【００５３】
【発明の実施の形態】
以下、図面を用いて本発明の実施の形態について説明する。
【００５４】
ここでは、ＣＤＭＡ方式移動通信システムにおいて制御ビットに基づいて送信電力を制御する送信電力制御技術を例示して説明するが、本発明はかかる実施形態に限定されるものではなく、他のＣＤＭＡ方式移動通信システムにおけるフレーム構成技術においても同様に利用できることは明白である。
【００５５】
図５は、本発明によるＣＤＭＡ方式の移動局の構成の一例を示すブロック図である。
【００５６】
移動局１００は、大別すると、移動局受信部ブロック１０２〜１２６と、移動局送信部ブロック１３０〜１４０とから構成される。
【００５７】
まず、移動局受信部ブロック１０２〜１２６を説明すると、基地局２００から送信されて移動局で受信された下り信号は、高周波復調等を行うＲＦ（高周波）部・ダウンコンバータ１０２、ＡＧＣ（自動利得制御）増幅器１０４、および直交検波器１０６を通って、逆拡散部１０８に入る。逆拡散部１０８では、疑似雑音（ＰＮ）符号で拡散した信号の逆拡散を行う。逆拡散部１０８の出力信号は、復調器・レイク（ｒａｋｅ）合成部１１０、タイミング生成部１１４、希望波信号電力検出部１１６および干渉信号電力検出部１２２に、それぞれ供給される。
【００５８】
復調器・レイク合成部１１０では、例えばウォルシュ変換した信号の逆変換などの復調処理と、最大比合成法等によりマルチパスから複数のタイミングで受信された信号の合成を行う。フレーム分離部１１２は、このようにして合成された下り信号のシンボル列から、送信電力制御ビットを分離抽出する。タイミング生成部１１４は、下り信号のパイロット信号を検出して、同期させるためのタイミング信号を生成し、これを希望波信号電力検出部１１６と干渉信号電力検出部１２２に供給する。希望波信号電力検出部１１６は、基地局からの希望波受信信号電力（レベル）を測定する。この希望波受信信号電力（レベル）は、受信ＳＩＲ計算部１２４に送出される。
【００５９】
送信電力決定部１２０は、フレーム分離部１１２からの送信電力制御ビットを入力して、それにより瞬時送信電力制御情報を作成し、振幅調整部１３５へ出力する。
【００６０】
該瞬時送信電力制御情報の作成は、例えば、以下のいずれかの方法により行う。
【００６１】
１）受信した送信電力制御ビットに含まれるビット系列が、「１」の場合は、送信電力を１ｄＢ下げるように瞬時送信電力制御情報の作成を行い、ビット系列が、「０」の場合は、送信電力を１ｄＢ上げるように瞬時送信電力制御情報の作成を行う。
【００６２】
２）受信した送信電力制御ビットに含まれるビット系列に「１」が多く含まれる場合は、送信電力を０．５ｄＢ下げるように瞬時送信電力制御情報の作成を行い、ビット系列に「０」が多く含まれる場合は、送信電力を０．５ｄＢ上げるように瞬時送信電力制御情報の作成を行う。
【００６３】
３）受信した送信電力制御ビットに含まれるビット系列が、「１１」の場合は、送信電力を１．５ｄＢ下げるように瞬時送信電力制御情報の作成を行い、ビット系列が、「１０」の場合は、送信電力を０．５ｄＢ下げるように瞬時送信電力制御情報の作成を行い、受信した送信電力制御ビットに含まれるビット系列が、「００」の場合は、送信電力を０．５ｄＢ上げるように瞬時送信電力制御情報の作成を行い、ビット系列が、「０１」の場合は、送信電力を１．５ｄＢ上げるように瞬時送信電力制御情報の作成を行う。
【００６４】
干渉信号電力検出部１２２と受信ＳＩＲ計算部１２４は、協働して基地局からの希望波受信電力と干渉信号電力を測定し、受信ＳＩＲを計算する処理を実行する。
【００６５】
所要ＳＩＲ決定部１２３は、基地局からの信号の、満足できるような受信ＳＩＲに対応する所要ＳＩＲを決定する。所要ＳＩＲは、予めメモリ等に格納しておいてもよい。
【００６６】
ＳＩＲ比較部１２５は、受信ＳＩＲ計算部１２４により計算された受信ＳＩＲと、所要ＳＩＲ決定部１２３により決定された所要ＳＩＲとを比較する。
【００６７】
ＳＩＲ比較部１２３の比較結果は制御ビット決定部１２６へ送られる。
【００６８】
制御ビット決定部１２６は、該比較結果に対応する所定のビット系列を生成し、該ビット系列を含む送信電力制御ビットが決定される。
【００６９】
ビット系列は、例えば、以下のいずれかの方法により生成される。
【００７０】
１）受信ＳＩＲと所要ＳＩＲの大小関係を１ビットで表示する。例えば、受信ＳＩＲが所要ＳＩＲより大きい場合は、ビット系列を「１」とし、また受信ＳＩＲが所要ＳＩＲより小さい場合は、ビット系列を「０」とする。
【００７１】
２）受信ＳＩＲと所要ＳＩＲの大小関係を１ビットで表示し、該１ビットの情報を繰り返す。例えば、受信ＳＩＲが所要ＳＩＲより大きい場合は、ビット系列を「１１１１１」とし、また受信ＳＩＲが所要ＳＩＲより小さい場合は、ビット系列を「０００００」とする。
【００７２】
３）グレイ符号を用いる。例えば、受信ＳＩＲから所要ＳＩＲを減算した値が、１ｄＢ以上の場合はビット系列を「１１」とし、０ｄＢ以上１ｄＢ未満の場合はビット系列を「１０」とし、−１ｄＢ以上０ｄＢ未満の場合はビット系列を「００」とし、−１ｄＢ未満の場合はビット系列を「０１」とする。
【００７３】
その他の実施の形態として、誤り訂正符号を用いる場合等が可能である。
【００７４】
制御ビット決定部１２６で決定された送信電力制御ビットは、フレーム生成部１３０へ供給される。フレーム生成部１３０は、基地局２００へ送られる上りフレームにこの送信電力制御ビットを挿入する。
【００７５】
次に、移動局送信部ブロック１３０〜１４０について説明する。フレーム生成部１３０は、上記の送信電力制御ビットと情報データ、パイロットデータ等を入力して、上り信号のフレームを生成し、拡散部１３２に出力する。
【００７６】
フレーム生成部１３０は、最適電力量決定部１３１において決定された最適電力量（Ｅ０）に従って、制御ビット決定部１２６で決定された送信電力制御ビットのビット数を決定する処理が実行される。
【００７７】
ここで、「最適電力量（Ｅ０）」とは、送信電力制御のためのＳＩＲ測定を、制御ビットのみを用いて行う場合の、個別チャネル全体の所要送信電力を最低とするような制御ビットの電力量をいう。ビット数の決定は、制御ビットの電力量がＥ０となるようにビット数を割り当てる。すなわち、制御ビットを配置する際にデータビット部分と電力を等しくし、ビット数を増減して調節することにより、所望の電力量Ｅ０を割り当てる。
【００７８】
最適電力量決定部１３１は、予め最適電力量（Ｅ０）をメモリ等に格納しておいてもよい。
【００７９】
拡散部１３２では、拡散符号生成部１３４で生成された疑似雑音（ＰＮ）符号で、入力信号をスペクトラム拡散する。拡散部１３２で拡散された信号は、振幅調整部１３５で送信電力決定部１２０で決定された瞬時送信電力制御情報により調整された後、変調器１３６で直交変調等を施され、ＲＦ部・アップコンバータ１３８を経て、パワー増幅器１４０に入力し、パワー増幅器１４０では、入力信号を増幅し、出力信号を送信する。
【００８０】
また、振幅調整部１３５は、最適電力量決定部１３１において、決定された最適電力量（Ｅ０）に従って、制御ビットの電力量がＥ０となるように割り当てる。
【００８１】
本実施の形態では、「受信品質」および「所要品質」を希望波受信信号電力対干渉電力比（ＳＩＲ）を使用して定める場合を例に説明したが、他の実施形態として、受信電力、ビット誤り率（ＢＥＲ：Ｂｉｔ  Ｅｒｒｏｒ  Ｒａｔｅ）、フレーム誤り率（ＦＥＲ：Ｆｒａｍｅ  Ｅｒｒｏｒ  Ｒａｔｅ）等を使用して「受信品質」および「所要品質」を定めてもよい。
【００８２】
図６は、本発明によるＣＤＭＡ方式の基地局の構成の一例を示すブロック図である。
【００８３】
図６において、図５中の符号と同一の符号を付したブロックは、同様の機能を有するため、説明を省略する。
【００８４】
基地局は、基本的に移動局と同様なブロックで構成されるが、基地局の場合、同時に複数ユーザ（移動局）のチャネルを受信する必要があるため、逆拡散部１０８から振幅調整部１３５までは複数存在する。また、移動局では、拡散は拡散部１３２のみで実行されるが、基地局では、チャネルを分けるためのの第１拡散と、セルを識別するための第２拡散とに分かれて実行されるため、第１拡散部２０２と第２拡散部２０４が存在する。また、第２拡散部２０４における第２拡散は、セル分割が目的であり、すべてのチャネルについて１回拡散を行う必要があるため、振幅調整部１３５に結合される加算器２０６で複数ユーザのチャネルを加算した後で、第２拡散が実行されるようになっている。
【００８５】
（実施の形態１）
図７は、本発明の実施の形態１におけるフレームの構成を示した図である。
【００８６】
フレーム７００は制御ビット部分７０２とデータビット部分７０４とから構成される。フレーム７００は、例えば、送信局から受信局へ伝送される送信電力制御伝送媒体、すなわち送信電力制御伝送信号である。
【００８７】
図７において、縦軸は送信電力を、横軸はビット数を示す。
【００８８】
図７中のＥ０は、送信電力制御のためのＳＩＲ測定を、制御ビットのみを用いて行う場合の、個別チャネル全体の所要送信電力を最低とするような制御ビットの電力量を示し、Ｅ１は、制御ビット自身の所要品質を満たすような電力量を示す。
【００８９】
Ｅ０とＥ１のそれぞれの絶対値や大小関係は、個別チャネルの伝送速度などにより異なるが、Ｅ０がＥ１よりも大きくなるような場合は、図７のように、制御ビットの電力量がＥ０となるように割り当てる。また、図７に示すように、制御ビットを配置する際にデータビット部分と電力を等しくし、ビット数を調節することにより、所望の電力量Ｅ０を割り当てる。
【００９０】
図８は、本発明の実施の形態１におけるフレームの作成方法を示すフロー図である。
【００９１】
まずステップＳ８０１において、個別チャネルの所要送信電力を最低にするような制御ビットの電力量の最適点Ｅ０を決定する。
【００９２】
次に、ステップＳ８０２において、制御ビットの送信電力量がＥ０となるように、制御ビットのビット数を決定する。
【００９３】
Ｅ０がＥ１よりも大きくなるような場合は、Ｅ０の電力量を制御ビットに割り当てることにより、制御ビット自身の品質を所要品質以上としながら、個別チャネルの所要送信電力を低減でき、チャネル容量を増加することができる。
【００９４】
さらに、Ｅ０の電力量を制御ビットに割り当てる際に、制御ビットの電力とデータビットの電力を等しくし、制御ビットのビット数を調整することにより、送信電力を時間的に一定にすることができ、また干渉の一様化、送信アンプの高効率化が実現できる。
【００９５】
（実施の形態２）
図９は、本発明の実施の形態２におけるフレームの構成を示した図である。
【００９６】
フレーム９００は制御ビット部分９０２とデータビット部分９０４とから構成される。フレーム９００は、例えば、送信局から受信局へ伝送される送信電力制御伝送媒体、すなわち送信電力制御伝送信号である。
【００９７】
図９において、縦軸は送信電力を、横軸はビット数を示す。
【００９８】
図９中のＥ０、Ｅ１は、実施の形態１に準拠する電力量とする。
【００９９】
実施の形態１と同様に、Ｅ０がＥ１よりも大きくなるような場合は、制御ビットの電力量がＥ０となるように割り当てる。また、本実施の形態においては、図９に示すように、制御ビットを配置する際に、制御ビット部分の電力をデータビット部分の電力に対して、オフセットを与えることにより所望の電力量Ｅ０を割り当てる。
【０１００】
図１０は、本発明の実施の形態２におけるフレームの作成方法を示すフロー図である。
【０１０１】
まずステップＳ１００１において、個別チャネルの所要送信電力を最低にするような制御ビットの電力量の最適点Ｅ０を決定する。
【０１０２】
次に、ステップＳ１００２において、制御ビットの送信電力量がＥ０となるように、制御ビットのオフセットを決定し、所望の電力量Ｅ０を割り当てる。
【０１０３】
Ｅ０がＥ１よりも大きくなるような場合はＥ０の電力量を制御ビットに割り当てることにより、制御ビット自身の品質を所要品質以上としながら、個別チャネルの所要送信電力を低減でき、またチャネル容量を増加することができる。
【０１０４】
さらに、Ｅ０の電力量を制御ビットに割り当てる際に、制御ビットの電力をデータビットの電力よりオフセットを与えることにより、柔軟なビット配置が実現でき、また、電力による調整は、ビット数による調整と異なり、連続的な値に設定できるため、容量面からより厳密な制御ビットの電力量の最適化を図ることができる。
【０１０５】
次に、本発明による送信電力制御手順を、図１１および図１２を参照して説明する。
【０１０６】
（実施の形態３）
図１１は、本発明の実施の形態３における送信電力制御手順を示すフロー図である。
【０１０７】
ステップＳ１３０２において、第１の無線局は、第２の無線局が送信した信号の受信品質を測定する。ここで、「受信品質」とは、希望波受信信号電力対干渉電力比（ＳＩＲ）、受信電力、ビット誤り率（ＢＥＲ：Ｂｉｔ  Ｅｒｒｏｒ  Ｒａｔｅ）およびフレーム誤り率（ＦＥＲ：Ｆｒａｍｅ  Ｅｒｒｏｒ  Ｒａｔｅ）のうち少なくとも一つを含む。
【０１０８】
次に、ステップＳ１３０４において、受信品質を所要品質と比較する。ここで、「所要品質」とは、所定の基準を満足できるような受信品質をいう。
【０１０９】
次に、ステップＳ１３０６において、該比較結果に対応するビット系列を生成する。ビット系列は、例えば、以下のいずれかの方法により生成される。
【０１１０】
１）受信品質と所要品質の大小関係を１ビットで表示する。例えば、受信品質が所要品質より大きい場合は、ビット系列を「１」とし、また受信品質が所要品質より小さい場合は、ビット系列を「０」とする。
【０１１１】
２）受信品質と所要品質の大小関係を１ビットで表示し、該１ビットの情報を繰り返す。例えば、受信品質が所要品質より大きい場合は、ビット系列を「１１１１１」とし、また受信品質が所要品質より小さい場合は、ビット系列を「０００００」とする。
【０１１２】
３）グレイ符号を用いる。例えば、受信品質から所要品質を減算した値が、１ｄＢ以上の場合はビット系列を「１１」とし、０ｄＢ以上１ｄＢ未満の場合はビット系列を「１０」とし、−１ｄＢ以上０ｄＢ未満の場合はビット系列を「００」とし、−１ｄＢ未満の場合はビット系列を「０１」とする。
【０１１３】
その他の実施の形態として、誤り訂正符号を用いる場合等が可能である。
【０１１４】
次に、ステップＳ１３０８において、生成したビット系列を含む制御ビットを生成する。
【０１１５】
次に、ステップＳ１３１０において、制御ビットを含むフレームを構成する。
【０１１６】
かかるフレーム構成手順については、実施の形態１で説明したフレーム構成手順（図７および図８参照）、および／または実施の形態２で説明したフレーム構成手順（図９および図１０参照）によりフレームを構成する。
【０１１７】
次に、ステップＳ１３１２において、フレームを第２の無線局へ送信する。
【０１１８】
次に、ステップＳ１３１４において、第２の無線局は、該フレームを受信する。
【０１１９】
次に、ステップＳ１３１６において、該フレームに含まれるビット系列に基づいて送信電力を調整する。送信電力の調整は、例えば、以下のいずれかの方法により行う。
【０１２０】
１）受信した送信電力制御ビットに含まれるビット系列が、「１」の場合は、送信電力を１ｄＢ下げるように瞬時送信電力制御情報の作成を行い、ビット系列が、「０」の場合は、送信電力を１ｄＢ上げるように瞬時送信電力制御情報の作成を行う。
【０１２１】
２）受信した送信電力制御ビットに含まれるビット系列に「１」が多く含まれる場合は、送信電力を０．５ｄＢ下げるように瞬時送信電力制御情報の作成を行い、ビット系列に「０」が多く含まれる場合は、送信電力を０．５ｄＢ上げるように瞬時送信電力制御情報の作成を行う。
【０１２２】
３）受信した送信電力制御ビットに含まれるビット系列が、「１１」の場合は、送信電力を１．５ｄＢ下げるように瞬時送信電力制御情報の作成を行い、ビット系列が、「１０」の場合は、送信電力を０．５ｄＢ下げるように瞬時送信電力制御情報の作成を行い、受信した送信電力制御ビットに含まれるビット系列が、「００」の場合は、送信電力を０．５ｄＢ上げるように瞬時送信電力制御情報の作成を行い、ビット系列が、「０１」の場合は、送信電力を１．５ｄＢ上げるように瞬時送信電力制御情報の作成を行う。
【０１２３】
以上の手順により、第２の無線局から第１の無線局への回線における送信電力が制御される。
【０１２４】
（実施の形態４）
図１２は、本発明の実施の形態４における送信電力制御手順を示すフロー図である。
【０１２５】
最初に、ステップＳ１４０２において、第１の無線局は、制御ビットを含むフレームを構成する。
【０１２６】
かかるフレーム構成手順については、実施の形態１で説明したフレーム構成手順（図７および図８参照）、および／または実施の形態２で説明したフレーム構成手順（図９および図１０参照）によりフレームを構成する。
【０１２７】
次に、ステップＳ１４０４において、該フレームを第２の無線局へ送信する。
【０１２８】
次に、ステップＳ１４０６において、第２の無線局は、該フレームを受信する。
【０１２９】
次に、ステップＳ１４０８において、第１の無線局が送信した信号の受信品質を測定する。ここで、受信品質の測定は、第１の無線局が送信した制御ビットの少なくとも一部（すなわち、制御ビットの一部または全部）を用いて測定してもよく、また制御ビットの少なくとも一部およびデータビットの少なくとも一部（すなわち、制御ビットおよびデータビットの一部または全部）を用いて測定してもよい。
【０１３０】
次に、ステップＳ１４１０において、受信品質を所要品質と比較する。
【０１３１】
次に、ステップＳ１４１２において、該比較結果に対応するビット系列を生成する。
【０１３２】
次に、ステップＳ１４１４において、該ビット系列を、第１の無線局に送信する。
【０１３３】
次に、ステップＳ１４１６において、第１の無線局は、第２の無線局が送信したビット系列を受信する。
【０１３４】
次に、ステップＳ１４１８において、該ビット系列に基づいて送信電力を調整する。
【０１３５】
以上の手順により、第１の無線局から第２の無線局への回線における送信電力が制御される。
【０１３６】
【発明の効果】
以上説明したように、本発明は、Ｅ０の電力量を制御ビットに割り当て、制御ビットとデータビットを最適な電力量配分とすることにより、制御ビット自身の品質を所要品質以上としながら、個別チャネルの所要送信電力を低減でき、またチャネル容量を増加することができる。
【０１３７】
また、Ｅ０の電力量を制御ビットに割り当てる際に、制御ビットの電力とデータビットの電力を等しくし、制御ビットのビット数を調整することにより、送信電力を時間的に一定にすることができ、また干渉の一様化、送信アンプの高効率化が実現できる。
【０１３８】
さらに、Ｅ０の電力量を制御ビットに割り当てる際に、制御ビットの電力をデータビットの電力よりオフセットを与えることにより、柔軟なビット配置が実現でき、また、電力による調整は、ビット数による調整と異なり、連続的な値に設定できるため、容量面からより厳密な制御ビットの電力量の最適化を図ることができる。
【図面の簡単な説明】
【図１】従来例において、上り回線における他の移動局からの干渉を示す図である。
【図２】従来技術によるＣＤＭＡ移動通信システムの個別チャネル構成の一例を示す図である。
【図３】従来例において、ＣＤＭＡ移動通信システムにおける、制御ビットの１スロットあたりの電力量と、ビット誤り率の関係を示すグラフである。
【図４】本発明による、送信電力制御のＳＩＲ測定を制御ビットのみで行う場合の、制御ビットの１スロットあたりの電力量と、個別チャネル全体の所要送信電力の関係を示すグラフである。
【図５】本発明によるＣＤＭＡ方式の移動局の構成の一例を示すブロック図である。
【図６】本発明によるＣＤＭＡ方式の基地局の構成の一例を示すブロック図である。
【図７】本発明の実施の形態１におけるフレームの構成を示した図である。
【図８】本発明の実施の形態１におけるフレームの作成方法を示すフロー図である。
【図９】本発明の実施の形態２におけるフレームの構成を示した図である。
【図１０】本発明の実施の形態２におけるフレームの作成方法を示すフロー図である。
【図１１】本発明の実施の形態３における送信電力制御手順を示すフロー図である。
【図１２】本発明の実施の形態４における送信電力制御手順を示すフロー図である。
【符号の説明】
１００  移動局
１０２  ＲＦ部・ダウンコンバータ
１０４  ＡＧＣ増幅器
１０６  直交検波器
１０８  逆拡散部
１１０  復調器・レイク合成器
１１４  タイミング生成部
１１６  希望波信号電力検出部
１２０  送信電力決定部
１２２  干渉信号電力検出部
１２３  所要ＳＩＲ決定部
１２４  受信ＳＩＲ計算部
１２５  ＳＩＲ決定部
１２６  制御ビット決定部
１３０  フレーム生成部
１３１  最適電力量決定部
１３２  拡散部
１３４  拡散符号生成部
１３６  変調器
１３８  ＲＦ部・アップコンバータ
１４０  パワー増幅器
２００  基地局
２０２  第１拡散部
２０４  第２拡散部
２０６  加算器
【図１】
0003581049.tif 000002
【図２】
0003581049.tif 000003
【図３】
0003581049.tif 000004
【図４】
0003581049.tif 000005
【図５】
0003581049.tif 000006
【図６】
0003581049.tif 000007
【図７】
0003581049.tif 000008
【図８】
0003581049.tif 000009
【図９】
0003581049.tif 000010
【図１０】
0003581049.tif 000011
【図１１】
0003581049.tif 000012
【図１２】
0003581049.tif 000013